【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
ロック機構を備えた情報処理装置と、モバイル端末とを備え、上記モバイル端末を利用してロック解除の指示を出力するように構成された情報処理装置のセキュリティシステムであって、
上記モバイル端末またはそのユーザが上記ロック解除の指示を出すノードとして許可されたノードか否かの認証を行う認証処理部と、
上記モバイル端末が上記情報処理装置から所定距離以内に存在するか否かを判定する距離判定部と、
上記認証処理部による認証に成功し、かつ、上記距離判定部により上記モバイル端末が上記情報処理装置から所定距離以内に存在することが確認された場合に、ロック解除指示信号を出力するロック解除部とを備えたことを特徴とする情報処理装置のセキュリティシステム。
【請求項２】
上記情報処理装置および上記モバイル端末の他に、上記情報処理装置の近傍に配置されたセキュリティ制御装置を備え、当該セキュリティ制御装置が上記認証処理部および上記ロック解除部を備えるとともに、上記モバイル端末が上記距離判定部を備えており、
上記セキュリティ制御装置および上記モバイル端末は、近距離無線通信を行うための無線通信部を備え、
上記距離判定部は、上記セキュリティ制御装置および上記モバイル端末の上記無線通信部により通信される信号の電界強度が所定値以上か否かを判定し、上記電界強度が所定値以上である場合に、上記モバイル端末が上記情報処理装置から所定距離以内に存在すると判定し、
上記モバイル端末は、上記距離判定部により上記モバイル端末が上記情報処理装置から所定距離以内に存在すると判定された場合に該所定距離以内に存在することを通知する通知部と、識別情報を送信する識別情報送信部とを更に備え、
上記認証処理部は、上記モバイル端末から送られてくる識別情報とあらかじめ用意された識別情報とを照合することによって上記認証を行い、
上記ロック解除部は、上記通知部による通知に対して所定の操作が上記モバイル端末にて行われること、および、上記認証処理部による認証に成功することの両方を満たした場合、上記情報処理装置に対して上記ロック解除指示信号を出力することを特徴とする請求項１に記載の情報処理装置のセキュリティシステム。
【請求項３】
上記情報処理装置および上記モバイル端末の他に、上記情報処理装置の近傍に配置されたセキュリティ制御装置を備え、当該セキュリティ制御装置が上記認証処理部および上記ロック解除部を備えるとともに、上記モバイル端末が上記距離判定部を備えており、
上記情報処理装置および上記モバイル端末は、近距離無線通信を行うための無線通信部を備え、
上記距離判定部は、上記情報処理装置および上記モバイル端末の上記無線通信部により通信される信号の電界強度が所定値以上かを判定し、上記電界強度が所定値以上である場合に、上記モバイル端末が上記情報処理装置から所定距離以内に存在すると判定し、
上記モバイル端末は、上記距離判定部により上記モバイル端末が上記情報処理装置から所定距離以内に存在すると判定された場合に該所定距離以内に存在することを通知する通知部と、識別情報を送信する識別情報送信部とを更に備え、
上記認証処理部は、上記モバイル端末から送られてくる識別情報とあらかじめ用意された識別情報とを照合することによって上記認証を行い、
上記ロック解除部は、上記通知部による通知に対して所定の操作が上記モバイル端末にて行われること、および、上記認証処理部による認証に成功することの両方を満たした場合、上記情報処理装置に対して上記ロック解除指示信号を出力することを特徴とする請求項１に記載の情報処理装置のセキュリティシステム。
【請求項４】
上記情報処理装置および上記モバイル端末は、近距離無線通信を行うための無線通信部を備え、
上記距離判定部は、上記情報処理装置および上記モバイル端末の上記無線通信部により通信される信号の電界強度が所定値以上かを判定し、上記電界強度が所定値以上である場合に、上記モバイル端末が上記情報処理装置から所定距離以内に存在すると判定し、
上記モバイル端末は、上記距離判定部と、上記距離判定部により上記モバイル端末が上記情報処理装置から所定距離以内に存在すると判定された場合に該所定距離以内に存在することを通知する通知部と、識別情報を送信する識別情報送信部とを備え、
上記認証処理部は、上記モバイル端末から送られてくる識別情報とあらかじめ用意された識別情報とを照合することによって上記認証を行い、
上記ロック解除部は、上記通知部による通知に対して所定の操作が上記モバイル端末にて行われること、および、上記認証処理部による認証に成功することの両方を満たした場合、上記ロック解除指示信号を出力することを特徴とする請求項１に記載の情報処理装置のセキュリティシステム。
【請求項５】
上記情報処理装置および上記モバイル端末の他に、上記情報処理装置から所定距離以内に配置されたセキュリティ制御装置を備え、当該セキュリティ制御装置は、上記認証処理部、上記距離判定部および上記ロック解除部を備えており、
上記情報処理装置または上記モバイル端末が近距離無線通信用のタグを備えるとともに、上記モバイル端末または上記情報処理装置が上記タグの情報を読み取るタグリーダを備え、
上記タグリーダで上記タグの情報を読み取った場合、識別情報を送信する識別情報送信部を更に備え、
上記認証処理部は上記距離判定部を兼用し、上記識別情報送信部により送信された上記識別情報を取得した場合に、上記モバイル端末が上記情報処理装置から所定距離以内に存在すると判定するとともに、上記識別情報送信部により送信された上記識別情報とあらかじめ用意された識別情報とを照合することによって上記認証を行い、
上記ロック解除部は、上記認証処理部による認証に成功した場合、上記ロック解除指示信号を出力することを特徴とする請求項１に記載の情報処理装置のセキュリティシステム。
【請求項６】
上記情報処理装置および上記モバイル端末の他に、上記情報処理装置から所定距離以内に配置されたセキュリティ制御装置を備え、当該セキュリティ制御装置は、上記認証処理部、上記距離判定部および上記ロック解除部を備えており、
上記セキュリティ制御装置または上記モバイル端末が近距離無線通信用のタグを備えるとともに、上記モバイル端末または上記セキュリティ制御装置が上記タグの情報を読み取るタグリーダを備え、
上記タグリーダで上記タグの情報を読み取った場合、識別情報を送信する識別情報送信部を更に備え、
上記認証処理部は上記距離判定部を兼用し、上記識別情報送信部により送信された上記識別情報を取得した場合に、上記モバイル端末が上記情報処理装置から所定距離以内に存在すると判定するとともに、上記識別情報送信部により送信された上記識別情報とあらかじめ用意された識別情報とを照合することによって上記認証を行い、
上記ロック解除部は、上記認証処理部による認証に成功した場合、上記ロック解除指示信号を出力することを特徴とする請求項１に記載の情報処理装置のセキュリティシステム。
【請求項７】
上記情報処理装置または上記モバイル端末が近距離無線通信用のタグを備えるとともに、上記モバイル端末または上記情報処理装置が上記タグの情報を読み取るタグリーダを備え、
上記タグリーダで上記タグの情報を読み取った場合、識別情報を送信する識別情報送信部を更に備え、
上記認証処理部は上記距離判定部を兼用し、上記識別情報送信部により送信された上記識別情報を取得した場合に、上記モバイル端末が上記情報処理装置から所定距離以内に存在すると判定するとともに、上記識別情報送信部により送信された上記識別情報とあらかじめ用意された識別情報とを照合することによって上記認証を行い、
上記ロック解除部は、上記認証処理部による認証に成功した場合、上記ロック解除指示信号を出力することを特徴とする請求項１に記載の情報処理装置のセキュリティシステム。
【請求項８】
上記情報処理装置から所定距離以内に配置された操作装置を更に備え、
上記認証処理部は、上記モバイル端末から送られてくる識別情報とあらかじめ用意された識別情報とを照合することによって上記認証を行い、
上記距離判定部は、上記操作装置の操作が行われたことを検出した場合に、上記モバイル端末が上記情報処理装置から所定距離以内に存在すると判定することを特徴とする請求項１に記載の情報処理装置のセキュリティシステム。
【請求項９】
上記情報処理装置、上記モバイル端末および上記操作装置の他にセキュリティ制御装置を備え、当該セキュリティ制御装置は、上記認証処理部、上記距離判定部および上記ロック解除部を備えており、
上記距離判定部は、上記認証処理部による認証に成功した場合に、上記操作装置の操作が行われたか否かを監視する監視モードに入り、当該監視モードにおいて上記操作装置の操作が行われたことを検出したとき、上記モバイル端末が上記情報処理装置から所定距離以内に存在すると判定し、
上記ロック解除部は、上記監視モードにおいて上記距離判定部により上記モバイル端末が上記情報処理装置から所定距離以内に存在すると判定されたとき、上記情報処理装置に対して上記ロック解除指示信号を出力することを特徴とする請求項８に記載の情報処理装置のセキュリティシステム。
【請求項１０】
上記距離判定部は、上記監視モードに入ってから所定時間以内に上記操作装置の操作が行われたことを検出しない場合、上記監視モードを解除することを特徴とする請求項９に記載の情報処理装置のセキュリティシステム。
【請求項１１】
情報処理装置に備えられたロック機構の解除の指示をモバイル端末を利用して行うように構成されたシステムに適用されるセキュリティ制御装置であって、
上記モバイル端末またはそのユーザが上記ロック解除の指示を出すノードとして許可されたノードか否かの認証を行う認証処理部と、
上記モバイル端末が上記情報処理装置から所定距離以内に存在するか否かを判定する距離判定部と、
上記認証処理部による認証に成功し、かつ、上記距離判定部により上記モバイル端末が上記情報処理装置から所定距離以内に存在することが確認された場合に、ロック解除指示信号を出力するロック解除部とを備えたことを特徴とするセキュリティ制御装置。